(57)【特許請求の範囲】
【請求項１】
表示面（１０１）と、該表示面（１０１）の反対側の背面（１０２）とを備える表示領域（１１）を備えるとともに、前記表示面（１０１）および前記背面（１０２）を貫いて延びるスロット（１０３）を定めており、該スロット（１０３）は、前記表示領域（１１）に位置し、前記表示領域（１１）は、複数の画像ピクセルを備えている表示パネル（１０）と、
前記表示パネル（１０）に結合したタッチパネル（１２）と
を備え、
２つのカメラが前記スロットに収容され、前記２つのカメラは、それぞれレンズホルダと、前記レンズホルダに結合したレンズ鏡筒を含み、光センサが前記２つのカメラの２つのレンズホルダの間に位置し、前記レンズホルダの上面に直接接触する電子機器（１０００）。
【請求項２】
電子機器（１０００）であって、
表示領域（１１）を備える表示パネル（１０）であって、前記表示領域（１１）は、複数の画像ピクセルを備え、前記表示領域（１１）は、該表示パネル（１０）の厚さ方向に該表示領域（１１）を貫いて延びるスロット（１０３）を定めている表示パネル（１０）と、
前記スロット（１０３）に収容され、当該電子機器（１０００）の外部の物体から画像を取得するように構成された二つのカメラ（３００）と
を備え、
前記２つのカメラは、それぞれレンズホルダと、前記レンズホルダに結合したレンズ鏡筒を含み、光センサが前記２つのカメラの２つのレンズホルダの間に位置し、前記レンズホルダの上面に直接接触する電子機器（１０００）。
【請求項３】
前記表示パネル（１０）は、ＯＬＥＤ表示パネルおよび液晶表示パネルのうちの一方であり、前記ＯＬＥＤ表示パネルは、順次に積層された陰極板（１０ａ）、有機発光層（１０ｂ）、陽極板（１０ｃ）、および偏光板（１０ｄ）を備え、前記表示面（１０１）は、前記偏光板（１０ｄ）のうちの前記陰極板（１０ａ）から遠い方の表面であり、前記背面（１０２）は、前記陰極板（１０ａ）のうちの前記偏光板（１０ｄ）から遠い方の表面であり、前記液晶表示パネルは、順次に積層された下部偏光板（１０ｅ）、下部電極（１０ｆ）、液晶層（１０ｇ）、上部電極（１０ｈ）、カラーフィルタ（１０ｉ）、および上部偏光板（１０ｊ）を備え、前記表示面（１０１）は、前記上部偏光板（１０ｊ）のうちの前記下部偏光板（１０ｅ）から遠い方の表面であり、前記背面（１０２）は、前記下部偏光板（１０ｅ）のうちの前記上部偏光板（１０ｊ）から遠い方の表面である、ことを特徴とする請求項１または２のいずれか一項に記載の電子機器（１０００）。
【請求項４】
前記スロットは、当該電子機器（１０００）の少なくとも１つの構成要素を露出させるように構成されている、ことを特徴とする請求項１から３のいずれか一項に記載の電子機器（１０００）。
【請求項５】
前記２つのカメラ（３００）は、前記スロット（１０３）に部分的に収容され、あるいは前記表示領域（１１）によって囲まれている、ことを特徴とする請求項２から４のいずれか一項に記載の電子機器（１０００）。
【請求項６】
前記少なくとも１つの構成要素は、前記２つのカメラ（３００）、レシーバ（４００）、光センサ（５００）、プロジェクタ、マイクロフォン、スピーカ、距離センサ、照明装置、およびこれらの組み合わせを含むグループから選択される、ことを特徴とする請求項４または５のいずれか一項に記載の電子機器（１０００）。
【請求項７】
前記表示パネル（１０）は、第１の縁部（１０８）および本体（１１０）を備え、前記スロット（１０３）は、切り欠き（１０３１）または穴（１０３４）を備え、前記切り欠き（１０３１）は、前記表示パネル（１０）の前記第１の縁部（１０８）から前記本体（１１０）に向かって凹状に設けられ、前記穴（１０３４）は、前記第１の縁部（１０８）の中央位置に隣接して位置し、好ましくは前記切り欠き（１０３１）は、前記第１の縁部（１０８）の中央位置から凹状に設けられている、ことを特徴とする請求項１から６のいずれか一項に記載の電子機器（１０００）。
【請求項８】
前記タッチパネル（１２）は、前記スロット（１０３）に対応する第２のスロット（１２１）を定めている、ことを特徴とする請求項１および３から７のいずれか一項に記載の電子機器（１０００）。
【請求項９】
カバープレート（１４）をさらに備えており、該カバープレート（１４）は、前記スロット（１０３）に対応する第３のスロット（１４１）を定めている、ことを特徴とする請求項１から８のいずれか一項に記載の電子機器（１０００）。
【請求項１０】
前記２つのカメラ（３００）は、前記スロット（１０３）、前記第２のスロット（１２１）、および前記第３のスロット（１４１）のうちの少なくとも１つに少なくとも部分的に収容され、あるいは前記２つのカメラ（３００）は、前記スロット（１０３）、前記第２のスロット（１２１）、および前記第３のスロット（１４１）のうちの少なくとも１つの外部に位置する、ことを特徴とする請求項９に記載の電子機器（１０００）。
【請求項１１】
カバープレート（１４）、本体（２００）、およびレシーバ（４００）をさらに備え、前記カバープレート（１４）は、前記本体（２００）上に配置され、前記本体（２００）と協働して収容空間を形成し、前記本体（２００）は、上部（２１）と、下部（２２）と、前記上部（２１）と前記下部（２２）とを接続する側部（２３）とを備え、前記レシーバ（４００）は、前記収容空間内に位置し、前記レシーバ（４００）は、前記上部（２１）または前記側部（２３）に配置された音出口（４０）を備え、あるいは前記レシーバ（４００）は、前記スロット（１０３）を囲む前記表示パネル（１０）の壁に面した音出口（４０）を備える、ことを特徴とする請求項１から５、７、および８のいずれか一項に記載の電子機器（１０００）。
【請求項１２】
カバープレート（１４）および本体（２００）をさらに備え、前記カバープレート（１４）は、前記本体（２００）上に配置され、前記本体（２００）と協働して収容空間を形成し、前記２つのカメラ（３００）および前記表示パネル（１０）は、前記収容空間内に位置する、ことを特徴とする請求項２から８のいずれか一項に記載の電子機器（１０００）。
【請求項１３】
前記カバープレート（１４）に垂直な方向における前記音出口（４０）の投影の外形は、前記スロット（１０３）を囲んでいる前記表示パネル（１０）の内壁の投影の外形とほぼ同じである、ことを特徴とする請求項１１に記載の電子機器（１０００）。
【請求項１４】
前記レシーバ（４００）は、前記レンズホルダ（３２）の上面（３２２）に配置され、前記レシーバ（４００）は、前記レンズホルダ（３２）の前記上面（３２２）の平面上に位置する、ことを特徴とする請求項６から１０、１２、および１３のいずれか一項に記載の電子機器（１０００）。
【請求項１５】
当該電子機器（１０００）は、入力／出力モジュール（６００）を備え、前記２つのカメラ（３００）、前記光センサ（５００）、および前記レシーバ（４００）は、前記入力／出力モジュール（６００）に一体化されている、ことを特徴とする請求項６から１０および１２から１４のいずれか一項に記載の電子機器（１０００）。
【発明の詳細な説明】
【技術分野】
【０００１】
関連出願
本出願は、２０１７年１月９日に出願された中国特許出願第２０１７１００１３７５７．８号の優先権を主張する。上記出願の全開示は、その全体が本明細書に援用される。
【０００２】
本開示は、電子装置の分野に関し、とくには、表示パネルを備えた電子機器に関する。
【背景技術】
【０００３】
技術の発達につれて、より多くの機能を有する電子機器が、ますます普及してきている。電子機器は、一般に、表示パネルを備える。表示パネルを備えた電子機器は、人々の生活に欠かせない機器となっている。典型的には、表示パネルを備える電子機器は、比較的小さいパネル比を有し、これがユーザ体験を希薄にしている。
【発明の概要】
【発明が解決しようとする課題】
【０００４】
本開示の実施形態は、表示パネルを備えた電子機器を提供する。
【課題を解決するための手段】
【０００５】
本開示の実施形態による電子機器は、表示パネルおよびタッチパネルを備える。表示パネルは、表示領域を含み、表示領域は、表示面と、表示面の反対側の背面とを含む。表示パネルは、表示面と背面とを貫いて延びるスロットを定めている。スロットは、表示領域に位置する。表示領域は、複数の画像ピクセルを含む。タッチパネルは、表示パネルに結合している。
【０００６】
本開示の他の実施形態による電子機器は、表示パネルとタッチパネルとを備える。表示パネルは、表示領域を含み、表示領域は、表示面と、表示面の反対側の背面とを含む。表示パネルは、表示面および背面を貫いて延びる少なくとも１つのボイドを含む。少なくとも１つのボイドは、表示領域内に位置し、電子機器の少なくとも１つの構成要素を露出させるように構成される。少なくとも１つのボイドを除く表示領域は、複数の画像ピクセルを含む。タッチパネルは、表示パネルに結合している。
【０００７】
本開示の別の実施形態による電子機器は、表示パネルおよびカメラを備える。表示パネルは、複数の画像ピクセルを含む表示領域を含む。表示領域は、表示パネルの厚さ方向に表示領域を貫いて延びるスロットを定める。カメラは、スロットに収容され、電子機器の外部の物体から画像を取得するように構成される。
【０００８】
本開示の別の実施形態による表示パネルは、複数の画像ピクセルを含む表示領域を含む。表示領域は、表示パネルの厚さ方向に表示領域を貫いて延びるスロットを定める。
【０００９】
本開示の実施形態の態様および利点は、以下の実施形態の説明および添付の図面から明らかになり、容易に理解されるであろう。
【図面の簡単な説明】
【００１０】
【図１】本開示の一実施形態による電子機器の概略の斜視図である。
【図２】本開示の一実施形態による電子機器の概略の平面図である。
【図３】本開示の一実施形態による表示装置アセンブリの概略の平面図である。
【図４】本開示の一実施形態による表示パネルの概略の平面図である。
【図５】本開示の一実施形態による表示パネルの概略の断面図である。
【図６】本開示の一実施形態による表示パネルの概略の断面図である。
【図７】本開示の一実施形態による表示パネルの概略の平面図である。
【図８】本開示の一実施形態による表示パネルの概略の平面図である。
【図９】本開示の一実施形態による表示パネルの概略の平面図である。
【図１０】本開示の一実施形態による表示パネルの概略の平面図である。
【図１１】本開示の一実施形態による表示パネルの概略の平面図である。
【図１２】本開示の一実施形態による表示パネルの概略の平面図である。
【図１３】本開示の一実施形態による表示パネルの概略の平面図である。
【図１４】本開示の一実施形態による表示パネルの概略の平面図である。
【図１５】本開示の一実施形態による表示パネルの概略の平面図である。
【図１６】本開示の一実施形態による表示パネルの概略の平面図である。
【図１７】本開示の一実施形態による表示パネルの概略の平面図である。
【図１８】本開示の一実施形態による表示パネルの概略の平面図である。
【図１９】本開示の一実施形態による表示パネルの概略の平面図である。
【図２０】本開示の一実施形態による表示パネルの概略の平面図である。
【図２１】本開示の一実施形態による表示パネルの概略の平面図である。
【図２２】本開示の一実施形態による表示パネルの概略の平面図である。
【図２３】本開示の一実施形態による表示パネルの概略の平面図である。
【図２４】本開示の一実施形態による表示パネルの概略の平面図である。
【図２５】本開示の一実施形態による表示パネルの概略の平面図である。
【図２６】本開示の一実施形態による表示パネルの概略の平面図である。
【図２７】本開示の一実施形態による表示パネルの概略の平面図である。
【図２８】本開示の一実施形態による表示パネルの概略の平面図である。
【図２９】本開示の一実施形態による表示パネルの概略の平面図である。
【図３０】本開示の一実施形態による表示パネルの概略の平面図である。
【図３１】本開示の一実施形態による表示パネルの概略の平面図である。
【図３２】本開示の一実施形態による表示パネルの概略の平面図である。
【図３３】本開示の一実施形態による表示パネルの概略の平面図である。
【図３４】本開示の一実施形態による表示パネルの概略の平面図である。
【図３５】本開示の一実施形態による表示パネルの概略の平面図である。
【図３６】本開示の一実施形態による表示パネルの概略の平面図である。
【図３７】本開示の一実施形態による表示パネルの概略の平面図である。
【図３８】本開示の一実施形態による表示パネルの概略の平面図である。
【図３９】本開示の一実施形態による表示パネルの概略の平面図である。
【図４０】本開示の一実施形態による表示パネルの概略の平面図である。
【図４１】本開示の一実施形態による表示パネルの概略の平面図である。
【図４２】本開示の一実施形態による表示パネルの概略の平面図である。
【図４３】本開示の一実施形態による表示パネルの概略の平面図である。
【図４４】本開示の一実施形態による表示装置アセンブリの概略の断面図である。
【図４５】本開示の一実施形態による表示装置アセンブリの概略の断面図である。
【図４６】本開示の一実施形態による表示装置アセンブリの概略の断面図である。
【図４７】本開示の一実施形態による表示装置アセンブリの概略の断面図である。
【図４８】本開示の一実施形態による表示装置アセンブリの概略の断面図である。
【図４９】本開示の一実施形態による表示装置アセンブリの概略の断面図である。
【図５０】本開示の一実施形態による電子機器の概略の断面図である。
【図５１】本開示の一実施形態による電子機器の概略の断面図である。
【図５２】本開示の一実施形態による電子機器の概略の断面図である。
【図５３】本開示の一実施形態による電子機器の概略の断面図である。
【図５４】本開示の一実施形態による電子機器の概略の断面図である。
【図５５】本開示の一実施形態による電子機器の概略の平面図である。
【図５６】本開示の一実施形態による電子機器の上面図である。
【図５７】本開示の一実施形態による電子機器の上面図である。
【図５８】本開示の一実施形態による電子機器の概略の斜視図である。
【図５９】本開示の一実施形態による電子機器の概略の平面図である。
【図６０】図５９のＬＸで示されている部分の拡大概略図である。
【図６１】本開示の一実施形態による電子機器の概略の斜視図である。
【図６２】図６１のＬＸＩＩで示されている部分の拡大概略図である。
【図６３】本開示の一実施形態による電子機器の概略の平面図である。
【図６４】図６３のＸＬＩＶで示されている部分の拡大概略図である。
【図６５】本開示の一実施形態による電子機器の一部分の平面図である。
【図６６】本開示の一実施形態による電子機器の概略の斜視図である。
【図６７】本開示の一実施形態による電子機器の概略の平面図である。
【図６８】図６７のＬＸＶＩＩＩで示されている部分の拡大概略図である。
【図６９】本開示の一実施形態による電子機器の概略の斜視図である。
【図７０】図６９のＬＸＸで示されている部分の拡大概略図である。
【図７１】本開示の一実施形態による電子機器の概略の平面図である。
【図７２】図７１のＬＸＸＩＩで示されている部分の拡大概略図である。
【図７３】本開示の一実施形態による電子機器の概略の斜視図である。
【図７４】本開示の一実施形態による入力／出力モジュールの概略の斜視図である。
【図７５】本開示の一実施形態による電子機器の概略の平面図である。
【図７６】図７５のＬＸＸＸで示されている部分の拡大概略図である。
【図７７】本開示の一実施形態による電子機器の概略の平面図である。
【図７８】図７７のＬＸＸＸＩＩで示されている部分の拡大概略図である。
【発明を実施するための形態】
【００１１】
本開示の実施形態を、以下で詳細に説明する。説明される実施形態の例が、添付の図面に示されており、添付の図面において、同一または類似の参照番号は、同一または類似の要素あるいは同一または類似の機能を有する要素を常に示している。添付の図面を参照して説明される具体的な実施形態は、いずれも典型的なものであり、本開示を例示および説明するように意図されており、本開示を限定するものと解釈してはならない。
【００１２】
本開示の説明において、「中央」、「縦」、「横」、「長さ」、「幅」、「厚さ」、「上」、「下」、「前」、「後」、「左」、「右」、「垂直」、「水平」、「上部」、「下部」、「内側」、「外側」、「時計回り」、および「反時計回り」などの用語、ならびにこれらの派生語は、その説明時の向きまたは検討中の図面に示されているとおりの向きを指すと解釈されるべきである。これらの相対的な用語は、説明を便利にするためのものであり、本開示について、特定の向きでの構築または動作を必要とするものではなく、本開示に限定を生じさせると解釈されるべきではない。さらに、「第１の・・・」および「第２の・・・」などの用語は、本明細書において、説明の目的で使用されており、相対的な重要性または重大性を意味または示唆しようとしたものではない。したがって、「第１の・・・」および「第２の・・・」によって限定された特徴は、これらの特徴を１つまたは２つ以上含むことを意味または示唆するように意図されている。本開示の説明において、「複数の・・・」は、とくに指定されない限り、２つまたは３つ以上に関する。
【００１３】
本開示の説明において、明示された規則および限定が存在しない限り、「取り付ける」、「接続する」、および「結合させる」などの用語は、広い意味で理解されるべきであることに留意されたい。例えば、これらは、恒久的な接続、取り外し可能な接続、または一体化による接続を意味することができ、機械的な接続、電気的な接続、または互いの連絡を意味することができ、直接的な接続、介在物による間接的な接続、あるいは２つの要素間の内部連絡または相互作用を意味することができる。当業者であれば、個々の状況に応じて、本開示における具体的な意味を理解できるであろう。
【００１４】
本開示の説明において、とくに指定または限定されない限り、第１の特徴が第２の特徴の「上（ｏｎ）」または「下（ｂｅｎｅａｔｈ）」にある構造が、第１の特徴が第２の特徴に直接接触する実施形態を含むことができ、第１の特徴が第２の特徴に直接接触することがないように追加の特徴が第１の特徴と第２の特徴との間に形成された実施形態も含むことができることに、注意すべきである。さらに、第２の特徴の「上（ｏｎ）」、「上方（ａｂｏｖｅ）」、または「上部（ｏｎ  ｔｏｐ  ｏｆ）」にある第１の特徴は、第１の特徴が第２の特徴のまっすぐ「上」、「上方」、または「上部」にある実施形態を含むことができ、第１の特徴が第２の特徴のまっすぐ「上」、「上方」、または「上部」にはない実施形態も含むことができ、すなわち単に第１の特徴の海抜の高度が第２の特徴の海抜の高度よりも高いことだけを意味する。一方で、第２の特徴の「下（ｂｅｎｅａｔｈ）」、「下方（ｂｅｌｏｗ）」、または「下部（ｏｎ  ｂｏｔｔｏｍ  ｏｆ）」にある第１の特徴は、第１の特徴が第２の特徴のまっすぐ「下」、「下方」、または「下部」にある実施形態を含むことができ、第１の特徴が第２の特徴のまっすぐ「下」、「下方」、または「下部」にはない実施形態も含むことができ、すなわち単に第１の特徴の海抜の高度が第２の特徴の海抜の高度よりも低いことだけを意味する。
【００１５】
本明細書における開示は、本開示のさまざまな構造を実現するための多数の異なる実施形態または例を提供する。本開示の開示を単純化するために、特定の例の構成要素および構成が後述される。当然ながら、それらは例にすぎず、本開示を限定しようとするものではない。さらに、参照用の番号および／または文字が、本開示の異なる例において繰り返されるかもしれない。そのような繰り返しは、単純化および明確化のためのものであり、それ自体は、論じられる実施形態および／または構成の関係を示すものではない。さらに、本開示は、種々の具体的なプロセスおよび材料の例を提示するが、他のプロセスおよび／または他の材料も適用可能であることを、当業者であれば理解できるであろう。
【００１６】
本開示は、電子機器に関する。電子機器は、表示パネルおよびタッチパネルを備える。表示パネルは、表示領域を含み、表示領域は、表示面と、表示面の反対側の背面とを含む。表示パネルは、表示面と背面とを貫いて延びるスロットを定めている。スロットは、表示領域に位置する。表示領域は、複数の画像ピクセルを含む。タッチパネルは、表示パネルに結合している。
【００１７】
いくつかの実施形態において、表示パネルは、ＯＬＥＤ表示パネルである。ＯＬＥＤ表示パネルは、順次に積層された陰極板、有機発光層、陽極板、および偏光板を含む。表示面は、偏光板のうちの陰極板から遠い方の表面である。背面は、陰極板のうちの偏光板から遠い方の表面である。
【００１８】
いくつかの実施形態において、表示パネルは、液晶表示パネルである。液晶表示パネルは、順次に積層された下部偏光板、下部電極、液晶層、上部電極、カラーフィルタ、および上部偏光板を含む。表示は、上部偏光板のうちの下部偏光板から遠い方の表面である。背面は、下部偏光板のうちの上部偏光板から遠い方の表面である。
【００１９】
いくつかの実施形態において、表示パネルは、第１の縁部と本体とを含む。スロットは、表示パネルの第１の縁部から本体に向かって凹状に形成された切り欠きを含む。
【００２０】
いくつかの実施形態において、切り欠きは、第１の縁部の中央位置から凹状に設けられる。
【００２１】
いくつかの実施形態において、表示パネルは、第１の縁部を含む。スロットは、表示パネルの第１の縁部から本体に向かって凹状に形成された第１の切り欠きおよび第２の切り欠きを含む。
【００２２】
いくつかの実施形態において、表示パネルは、第１の縁部を含む。スロットは、第１の縁部に隣接しつつ第１の縁部から離れて位置する穴を含む。
【００２３】
いくつかの実施形態において、表示パネルは、第１の縁部を含む。スロットは、第１の縁部の中央位置に隣接して位置する穴を含む。
【００２４】
いくつかの実施形態において、表示パネルは、第１の縁部を含む。スロットは、第１の縁部に隣接しつつ第１の縁部から離れて位置する第１の穴および第２の穴を含む。
【００２５】
いくつかの実施形態において、電子機器は、スロット内に収容された少なくとも１つのカメラをさらに含む。
【００２６】
いくつかの実施形態において、タッチパネルは、スロットに対応する第２のスロットを定める。
【００２７】
いくつかの実施形態において、電子機器は、カバープレートをさらに含む。カバープレートは、スロットに対応する第３のスロットを定める。
【００２８】
いくつかの実施形態において、少なくとも１つのカメラは、スロット、第２のスロット、および第３のスロットのうちの少なくとも１つに少なくとも部分的に収容され、あるいは少なくとも１つのカメラは、スロット、第２のスロット、および第３のスロットのうちの少なくとも１つの外部に位置する。
【００２９】
いくつかの実施形態において、電子機器は、カバープレート、本体、およびレシーバをさらに含む。カバープレートは、本体上に配置され、本体と協働して収容空間を形成する。本体は、上部、下部、および上部と下部とを接続する側部を含む。レシーバは、収容空間内に配置され、上部または側部に配置された音出口を含む。
【００３０】
いくつかの実施形態において、電子機器は、カバープレートおよび本体をさらに含む。カバープレートは、本体上に配置され、本体と協働して収容空間を形成する。少なくとも１つのカメラおよび表示パネルは、収容空間内に配置される。
【００３１】
いくつかの実施形態において、電子機器は、少なくとも１つのカメラ、レシーバ、光センサ、プロジェクタ、マイクロフォン、スピーカ、距離センサ、照明装置、およびこれらの組み合わせを含むグループから選択される少なくとも１つの構成要素をさらに含む。
【００３２】
いくつかの実施形態において、電子機器は、レシーバおよび光センサをさらに含む。レシーバは、収容空間内に配置され、スロットを囲む表示パネルの壁に面する音出口を含む。光センサは、音出口を囲む表示パネルの内壁に配置される。少なくとも１つのカメラ、レシーバ、および光センサの中心は、同じ線上にある。
【００３３】
いくつかの実施形態において、レシーバは、収容空間内に位置する。レシーバは、スロットを囲む表示パネルの壁に面する音出口を含む。
【００３４】
いくつかの実施形態において、光センサは、音出口を囲む表示パネルの内壁に配置される。少なくとも１つのカメラ、レシーバ、および光センサの中心は、同じ線上にある。
【００３５】
いくつかの実施形態において、カメラの数は２つである。２つのカメラはそれぞれ、レンズホルダと、レンズホルダに結合したレンズ鏡筒とを含む。光センサは、レンズホルダの上面に配置される。レシーバは、レンズホルダの上面の平面上に配置される。
【００３６】
いくつかの実施形態において、２つのカメラの中心は、第１の線分へと接続される。レシーバおよび光センサの中心は、第２の線分へと接続される。第１の線分は、第２の線分に対してほぼ垂直である。第１の線分は、第２の線分の中点を通過し、あるいは第１の線分は、第２の線分の端点を通過する。
【００３７】
いくつかの実施形態においては、カバープレートに垂直な方向への音出口の投影の外形が、スロットを取り囲む表示パネルの内壁の投影の外形とほぼ同じである。
【００３８】
いくつかの実施形態において、少なくとも１つのカメラは、レンズホルダと、レンズホルダに結合したレンズ鏡筒とを含む。光センサおよびレシーバは、レンズホルダの上面に配置される。
【００３９】
いくつかの実施形態において、電子機器は、入力／出力モジュールを含む。少なくとも１つのカメラ、光センサ、およびレシーバは、入力／出力モジュールに一体化される。
【００４０】
本開示は、さらに電子機器に関する。電子機器は、表示パネルおよびタッチパネルを備える。表示パネルは、表示領域を含み、表示領域は、表示面と、表示面の反対側の背面とを含む。表示パネルは、表示面および背面を貫いて延びる少なくとも１つのボイドを含む。少なくとも１つのボイドは、表示領域内に位置し、電子機器の少なくとも１つの構成要素を露出させるように構成される。少なくとも１つのボイドを除く表示領域は、複数の画像ピクセルを含む。タッチパネルは、表示パネルに結合している。
【００４１】
いくつかの実施形態において、少なくとも１つの構成要素は、少なくとも１つのカメラ、レシーバ、光センサ、プロジェクタ、マイクロフォン、スピーカ、距離センサ、照明装置、およびこれらの組み合わせを含むグループから選択される。
【００４２】
いくつかの実施形態において、少なくとも１つのボイドは、表示パネルの縁から凹状に設けられた少なくとも１つの切り欠きである。
【００４３】
いくつかの実施形態において、少なくとも１つのボイドは、表示パネルに定められた少なくとも１つの穴である。
【００４４】
いくつかの実施形態において、少なくとも１つの穴は、表示パネルの縁部に隣接しつつ縁部から離れて位置する。
【００４５】
いくつかの実施形態において、少なくとも１つの穴は、第１の縁部の中央位置に隣接して位置する。
【００４６】
いくつかの実施形態において、電子機器は、少なくとも１つの穴に面する少なくとも１つのカメラをさらに含む。
【００４７】
いくつかの実施形態において、少なくとも１つのカメラは、少なくとも部分的に少なくとも１つの穴に収容される。
【００４８】
いくつかの実施形態において、電子機器は、レシーバをさらに含む。レシーバは、音出口を含む。音出口は、少なくとも１つの穴の周囲に配置され、あるいは少なくとも１つの穴の内側に配置され、あるいは少なくとも１つの穴の外側に少なくとも１つの穴の周囲以外の様相で配置される。
【００４９】
いくつかの実施形態においては、音出口の投影の外形が、少なくとも１つの穴を取り囲む表示パネルの内壁の投影の外形とほぼ同じである。
【００５０】
本開示は、さらに電子機器に関する。電子機器は、表示パネルおよびカメラを含む。表示パネルは、複数の画像ピクセルを含む表示領域を含む。表示領域は、表示パネルの厚さ方向に表示領域を貫いて延びるスロットを定める。カメラは、スロットに収容され、電子機器の外部の物体から画像を取得するように構成される。
【００５１】
いくつかの実施形態において、カメラは、表示パネルのスロットに部分的に収容される。
【００５２】
いくつかの実施形態において、カメラは、表示領域によって囲まれている。
【００５３】
本開示はさらに、表示パネルに関する。表示パネルは、複数の画像ピクセルを含む表示領域を含む。表示領域は、表示パネルの厚さ方向に表示領域を貫いて延びるスロットを定める。
【００５４】
図１および図２が、本開示の一実施形態による電子機器１０００を示している。電子機器１０００は、携帯電話機、タブレット、ノートブックコンピュータ、モニタ、ナビゲーション機器、またはスマートウォッチ、などであってよい。電子機器１０００は、表示装置アセンブリ１００、本体２００、およびカメラ３００を含むことができる。いくつかの実施形態において、電子機器１０００は、さらにレシーバ４００を含むことができる。図示の実施形態において、電子機器１０００は、携帯電話機の一例として説明される。
【００５５】
図３が、いくつかの実施形態において、表示装置アセンブリ１００がビデオ、画像、テキスト、アイコン、などのデータ情報を表示するように構成されていることを示している。いくつかの実施形態においては、表示装置アセンブリ１００を、ユーザのタッチ操作を受け付けるように構成することもできる。表示装置アセンブリ１００は、表示パネル１０であってよい。いくつかの実施形態において、表示装置アセンブリ１００は、表示パネル１０、タッチパネル１２、およびカバープレート１４（図４５に示される）を含むことができる。
【００５６】
図４〜図６が、いくつかの実施形態において、表示パネル１０が表示領域１１を含むことを示している。表示領域は、表示面１０１と、表示面１０１の反対側の背面１０２とを含む。表示パネル１０は、湾曲していても、平面でもよい。表示パネル１０は、表示面１０１と背面１０２とを貫いて延びる第１のスロット１０３を定めている。第１のスロット１０３は、表示領域１１を表示パネルの厚さ方向に貫いて延びている。第１のスロット１０３は、表示領域１１内に位置することができる。表示領域１１は、全画面表示領域であってよく、ビデオ、画像、テキスト、アイコン、などのデータ情報を表示するように構成された複数の画像ピクセルを含む。図２を再び参照すると、いくつかの実施形態では、電子機器１０００において、第１のスロット１０３が電子機器１０００のカメラ３００に対応し、電子機器１０００のカメラ３００を収容する。図２および図４は、いくつかの実施形態において、カメラ３００が表示領域１１によって囲まれていることを示している。いくつかの実施形態においては、使用時に、表示領域１１のうちの第１のスロット１０３の両側の領域が、バッテリ電力、目覚まし時計、信号強度、Ｗｉ−Ｆｉ接続、などの電子機器１０００のステータスアイコンを表示することができる。いくつかの実施形態においては、使用時に、表示領域１１のうちの第１のスロット１０３の両側の領域が、単独または表示領域１１のうちの他の領域との協働において、他の情報を表示することができる。スロットを有さない先行技術の電子機器の表示領域と比較して、図示の実施形態の電子機器１０００の表示領域１１は大きく、すなわち、電子機器１０００の画面比率が、電子機器１０００の外形寸法を大きくすることなく改善される。
【００５７】
図５は、いくつかの実施形態において、表示パネル１０が有機発光ダイオード（ＯＬＥＤ）表示装置または可撓ＯＬＥＤ表示装置であることを示している。表示パネル１０は、順次に積層された陰極板１０ａ、有機発光層１０ｂ、陽極板１０ｃ、および偏光板１０ｄを含む。いくつかの実施形態において、表示面１０１は、偏光板１０ｄのうちの陰極板１０ａから遠い方の表面であり、背面１０２は、陰極板１０ａのうちの偏光板１０ｄから遠い方の表面であり、第１のスロット１０３は、陰極板１０ａ、有機発光層１０ｂ、陽極板１０ｃ、および偏光板１０ｄを貫いている。
【００５８】
図６が、いくつかの実施形態において、表示パネル１０が液晶表示装置（ＬＣＤ）であることを示している。表示パネル１０は、順次に積層された下部偏光板１０ｅ、下部電極１０ｆ、液晶層１０ｇ、上部電極１０ｈ、カラーフィルタ１０ｉ、および上部偏光板１０ｊを含む。いくつかの実施形態において、表示面１０１は、上部偏光板１０ｊのうちの下部偏光板１０ｅから遠い方の表面であり、背面１０２は、下部偏光板１０ｅのうちの上部偏光板１０ｊから遠い方の表面であり、第１のスロット１０３は、下部偏光板１０ｅ、下部電極１０ｆ、液晶層１０ｇ、上部電極１０ｈ、カラーフィルタ１０ｉ、および上部偏光板１０ｊを貫いている。
【００５９】
図４が、いくつかの実施形態において、表示パネル１０が上端１０４、下端１０５、左端１０６、および右端１０７を含むことを示している。いくつかの実施形態において、上端１０４は、左端１０６と右端１０７とを接続し、下端１０５は、上端１０４とは反対の側にあり、左端１０６と右端１０７とを接続し、上端１０４、左端１０６、下端１０５、および右端１０７は、表示パネル１０の縁部として順に接続されている。いくつかの実施形態において、表示パネル１０は、丸みを帯びた長方形であり、すなわち長方形の４つの直角が、４つの丸みを帯びた角度に置き換えられている。上端１０４および下端１０５は、互いに対向する２つの縁部である。左端１０６および右端１０７も、互いに対向する２つの縁部である。表示パネル１０の形状が、上述に限定されず、全体として丸みを帯びた形状、全体として楕円の形状、全体として長方形の形状、など、他の形状であってよいことを、理解すべきである。
【００６０】
図４および図７は、いくつかの実施形態において、表示パネル１０が第１の縁部１０８および本体１１０を含むことを示している。表示パネル１０は、少なくとも１つの第１のスロット１０３を定めている。第１のスロット１０３は、第１の縁部１０８に定められた開口部を有する切り欠き１０３１を含む。切り欠き１０３１は、表示パネル１０の第１の縁部１０８から本体１１０に向かって凹状である。図示の実施形態において、各々の第１のスロット１０３は、第１の縁部１０８から凹状とされた１つの切り欠き１０３１を含む。いくつかの実施形態において、各々の第１のスロット１０３は、第１の縁部１０８から凹状とされた互いにつながる複数の切り欠き１０３１を含むことができる。第１の縁部１０８は、上端１０４、下端１０５、左端１０６、および右端１０７のうちの１つ以上であってよい。すなわち、図４および図７は、切り欠き１０３１が、上端１０４、下端１０５、左端１０６、および右端１０７のうちのいずれか１つから凹状とされてよく、切り欠き１０３１の数が１つであることを示している。図８〜図１０は、切り欠き１０３１が、上端１０４、下端１０５、左端１０６、および右端１０７のうちの任意の２つにおいて凹状とされてもよく、切り欠き１０３１の数が２つであることを示している。図１１および図１２は、切り欠き１０３１が、上端１０４、下端１０５、左端１０６、および右端１０７のうちの任意の３つから凹状とされてよく、切り欠き１０３１の数が３つでよいことを示している。図１３は、切り欠き１０３１が、上端１０４、下端１０５、左端１０６、および右端１０７から凹状とされてよく、切り欠き１０３１の数が４つであることを示している。図１４は、表示面１０１が実質的に位置する平面における切り欠き１０３１の形状が、半円形、放物線、長方形、楕円形またはその一部、三角形、などであってよいことを示している。いくつかの実施形態において、切り欠き１０３１は、第１の縁部１０８の中央位置から凹状とされている。切り欠き１０３１が、第１の縁部１０８の端部あるいは第１の縁部１０８の端部と中央位置との間の任意の他の位置など、第１の縁部１０８の他の位置から凹状とされてもよいことを、理解すべきである。
【００６１】
図１５は、表示パネル１０が複数の第１のスロット１０３を定めることを示している。第１のスロット１０３は、第１の縁部１０８から凹状とされた第１の切り欠き１０３２および第２の切り欠き１０３３を含む。第１の縁部１０８は、上端１０４、下端１０５、左端１０６、および右端１０７のうちの１つ以上であってよい。図１５および図１６は、第１の切り欠き１０３２および第２の切り欠き１０３３が、上端１０４、下端１０５、左端１０６、および右端１０７のうちのいずれか１つから凹状とされてよいことを示している。第１の切り欠き１０３２および第２の切り欠き１０３３は、それぞれ１つである。図１７および図１８は、第１の切り欠き１０３２および第２の切り欠き１０３３が、上端１０４、下端１０５、左端１０６、および右端１０７のうちの任意の２つに位置してもよく、第１の切り欠き１０３２および切り欠き１０３３が、それぞれ２つであることを示している。図１９および図２０は、第１の切り欠き１０３２および第２の切り欠き１０３３が、上端１０４、下端１０５、左端１０６、および右端１０７のうちの任意の３つから凹状とされてもよく、第１の切り欠き１０３２および第２の切り欠き１０３３が、それぞれ３つであることを示している。図２１は、第１の切り欠き１０３２および第２の切り欠き１０３３が、上端１０４、下端１０５、左端１０６、および右端１０７から凹状とされてよく、第１の切り欠き１０３２および第２の切り欠き１０３３が、それぞれ４つであることを示している。表示面１０１が実質的に位置する平面における第１の切り欠き１０３２および第２の切り欠き１０３３の形状は、半円形、放物線、長方形、楕円形、三角形、などであってよく、第１の切り欠き１０３２および第２の切り欠き１０３３の形状は、ほぼ同じであってよい。図２２は、例えば、表示面１０１が実質的に位置する平面における第１の切り欠き１０３２の形状が半円形であって、表示面１０１が実質的に位置する平面における第２の切り欠き１０３３の形状が長方形であり、あるいは表示面１０１が実質的に位置する平面における第１の切り欠き１０３２の形状が楕円形であって、表示面１０１が実質的に位置する平面における第２の切り欠き１０３３の形状が長方形であるなど、第１の切り欠き１０３２および第２の切り欠き１０３３が、異なってもよいことを示している。いくつかの実施形態において、第１の切り欠き１０３２および第２の切り欠き１０３３は、第１の縁部１０８の中央位置から凹状とされ、すなわち第１の切り欠き１０３２および第２の切り欠き１０３３の中心を結ぶことによって形成される線分の中点が、第１の縁部１０８の中央位置から引っ込められた位置にある。第１の切り欠き１０３２および第２の切り欠き１０３３の中心間の距離は、第１の縁部１０８の長さの半分、３分の１、または他の割合を占めてよい。図２３が、第１の切り欠き１０３２および第２の切り欠き１０３３が、必ずしも第１の縁部１０８の中央位置から凹状とされなくてもよいことを示しており、例えば、第１の切り欠き１０３２および第２の切り欠き１０３３が、第１の縁部１０８の一端から第１の縁部１０８の３分の１の位置において凹状とされることを、理解すべきである。
【００６２】
いくつかの実施形態において、第１のスロット１０３は、表示領域１１によって囲まれる。第１のスロット１０３は、第１の縁部１０８に隣接しつつ第１の縁部１０８から離れて位置する穴１０３４を含むことができる。図２４は、第１の縁部１０８が、上端１０４、下端１０５、左端１０６、および右端１０７のうちの１つ以上であってよく、すなわち穴１０３４が、上端１０４、下端１０５、左端１０６、および右端１０７のうちの１つに隣接しつつ、この１つから離れて位置でき、穴１０３４の数は１つであることを示している。図２５〜図２７は、穴１０３４が、上端１０４、下端１０５、左端１０６、および右端１０７のうちの２つに隣接しつつ、この２つから離れて位置することもでき、穴１０３４の数は２つであることを示している。図２８および図２９は、穴１０３４が、上端１０４、下端１０５、左端１０６、および右端１０７のうちの３つに隣接しつつ、この３つから離れて位置することもでき、穴１０３４の数は３つであることを示している。図３０は、穴１０３４が、上端１０４、下端１０５、左端１０６、および右端に隣接しつつ、上端１０４、下端１０５、左端１０６、および右端１０７から離れて位置することもでき、穴１０３４の数は４つであることを示している。図３１は、表示面１０１が実質的に位置する平面における穴１０３４の形状が、半円形であってよいことを示している。他の実施形態において、表示面１０１が実質的に位置する平面における穴１０３４の形状が、正六角形、八角形、長方形、楕円形、三角形、などであってよいことを、理解されたい。いくつかの実施形態において、穴１０３４は、第１の縁部１０８の中央位置に隣接して位置する。図３２は、穴１０３４が、例えば第１の縁部１０８の端部に隣接するなど、第１の縁部１０８の他の位置に隣接してもよいことを示していることを、理解されたい。
【００６３】
図３３は、いくつかの実施形態において、表示パネル１０が複数の第１のスロット１０３を定めることができることを示している。第１のスロット１０３は、第１の縁部１０８に隣接しつつ第１の縁部１０８から離れて位置する第１の穴１０３５および第２の穴１０３６を含む。第１の縁部１０８は、上端１０４、下端１０５、左端１０６、および右端１０７のうちの１つ以上であってよく、すなわち第１の穴１０３５および第２の穴１０３６は、上端１０４、下端１０５、左端１０６、および右端１０７のうちの１つに隣接しつつ、この１つから離れて位置でき、第１の穴１０３５および第２の穴１０３６は、それぞれ１つである。図３４および図３５は、第１の穴１０３５および第２の穴１０３６が、上端１０４、下端１０５、左端１０６、および右端１０７のうちの２つに隣接しつつ、この２つから離れて位置してもよく、第１の穴１０３５および第２の穴１０３６が、それぞれ２つであることを示している。図３６および図３７は、第１の穴１０３５および第２の穴１０３６が、上端１０４、下端１０５、左端１０６、および右端１０７のうちの３つに隣接しつつ、この３つから離れて位置してもよく、第１の穴１０３５および第２の穴１０３６が、それぞれ３つであることを示している。図３８は、第１の穴１０３５および第２の穴１０３６が、上端１０４、下端１０５、左端１０６、および右端に隣接しつつ、上端１０４、下端１０５、左端１０６、および右端１０７から離れて位置してもよく、第１の穴１０３５および第２の穴１０３６が、それぞれ４つであることを示している。表示面１０１が実質的に位置する平面における第１の穴１０３５および第２の穴１０３６の形状は、円形、半円形、正六角形、八角形、長方形、楕円形、三角形、などであってよい。第１の穴１０３５および第２の穴１０３６の形状は、ほぼ同じであってよく、第１の穴１０３５および第２の穴１０３６の形状は、違ってもよい。例えば、図３９は、表示面１０１が実質的に位置する平面における第１の穴１０３５の形状が円形であり、表示面１０１が実質的に位置する平面における第２の穴１０３６の形状が長方形であることを示しており、あるいは、表示面１０１が実質的に位置する平面における第１の穴１０３５の形状が円形であり、表示面１０１が実質的に位置する平面における第２の穴１０３６の形状が楕円形である、などである。いくつかの実施形態において、第１の穴１０３５および第２の穴１０３６は、第１の縁部１０８の中央位置に隣接して位置し、すなわち第１の穴１０３５および第２の穴１０３６の中心を結ぶことによって形成される線分の中点が、第１の縁部１０８の中央位置に隣接する。図４０が、第１の穴１０３５および第２の穴１０３６が、必ずしも第１の縁部１０８の中央位置に隣接しなくてもよいことを示しており、例えば、第１の穴１０３５および第２の穴１０３６が、第１の縁部１０８の一端から第１の縁部１０８の３分の１の位置に隣接して位置することを、理解すべきである。
【００６４】
図４１〜図４３は、他の実施形態において、第１のスロット１０３が切り欠き１０３１および穴１０３４の両方を含むことを、理解すべきであることを示している。詳しくは、切り欠き１０３１が、上端１０４から凹状に設けられてよく、穴１０３４が、下端１０５に隣接しつつ下端１０５から離れて位置し、あるいは切り欠き１０３１が、上端１０４から凹状に設けられてよく、穴１０３４が、上端１０４に隣接しつつ上端１０４から離れて位置する。第１のスロット１０３の切り欠き１０３１および穴１０３４の数は、上記の説明に限定されず、切り欠き１０３１と２つの穴１０３４、切り欠き１０３１と３つの穴１０３４、２つの切り欠き１０３１と１つの穴１０３４、３つの切り欠き１０３１と１つの穴１０３４、または３つの切り欠き１０３１と３つの穴１０３４、などであってよい。切り欠き１０３１および穴１０３４の面積は、製造の要求に応じて構成および選択することができ、例えば、複数の切り欠き１０３１のサイズは、ほぼ同じでも、ほぼ同じでなくてもよく、複数の穴１０３４のサイズは、ほぼ同じでも、ほぼ同じでなくてもよく、複数の切り欠き１０３１および複数の穴１０３４のサイズは、ほぼ同じでも、ほぼ同じでなくてもよい。
【００６５】
図４４〜図４９は、タッチパネル１２が表示パネル１０上に位置し、詳細には、タッチパネル１２が表示面１０１上に背面１０２から離間して位置することを示している。
【００６６】
図４４は、いくつかの実施形態において、カバープレート１４が、タッチパネル１２のうちの表示パネル１０とは反対側の面においてタッチパネル１２上に位置し、すなわち表示パネル１０、タッチパネル１２、およびカバープレート１４が順次に積み重ねられることを示している。いくつかの実施形態において、タッチパネル１２およびカバープレート１４は、第１のスロット１０３を覆う。図４５は、いくつかの実施形態において、タッチパネル１２が第１のスロット１０３に対応する第２のスロット１２１を含み、カバープレート１４が第１のスロット１０３および第２のスロット１２１を覆うことを示している。第２のスロット１２１および第１のスロット１０３の形状およびサイズは、ほぼ同じでも、ほぼ同じでなくてもよい。図４６は、いくつかの実施形態において、カバープレート１４が第１のスロット１０３に対応する第３のスロット１４１を定めることを示している。タッチパネル１２は、第１のスロット１０３および第３のスロット１４１から離間しており、第３のスロット１４１および第１のスロット１０３の形状およびサイズは、ほぼ同じでも、ほぼ同じでなくてもよい。図４７は、いくつかの実施形態において、タッチパネル１２が第１のスロット１０３に対応する第２のスロット１２１を含み、カバープレート１４が第１のスロット１０３に対応する第３のスロット１４１を定めることを示している。第１のスロット１０３、第２のスロット１２１、および第３のスロット１４１の形状およびサイズは、ほぼ同じでも、ほぼ同じでなくてもよい。
【００６７】
図４８は、いくつかの実施形態において、タッチパネル１２がカバープレート１４に一体化され、換言すると、タッチラインがカバープレート１４に一体化され、タッチ操作を実行するためにタッチパネル１２がクリックされることを示している。カバープレート１４を、ガラス、サファイア、ポリ塩化ビニル（ＰＶＣ）、などで製作することができる。いくつかの実施形態において、カバープレート１４は、第１のスロット１０３を覆う。図４９は、いくつかの実施形態において、カバープレート１４が第１のスロット１０３に対応する第３のスロット１４１を定めることを示している。本実施形態において、タッチパネル１２がカバープレート１４に一体化されており、カバープレート１４に形成された第３のスロット１４１がタッチパネル１２も貫通していることを、理解すべきである。第３のスロット１４１および第１のスロット１０３の形状およびサイズは、ほぼ同じでも、ほぼ同じでなくてもよい。
【００６８】
図１、図２、および図５０は、本体２００が、本体２００に取り付けられる電子機器１０００の表示装置アセンブリ１００、カメラ３００、レシーバ４００、などの電子機器１０００のアセンブリ要素の取り付けキャリアとなり得ることを示している。さらに、本体２００は、例えば電子機器１０００の落下時または圧迫時に電子機器１０００が容易にばらばらになったり、変形したりせず、あるいは電子機器１０００が雨や埃による損傷を被ることがないように、電子機器１０００のための保護を提供する。いくつかの実施形態において、本体２００は、カバープレート１４に接続される。詳しくは、カバープレート１４が、本体２００上に配置され、本体２００と協働して収容空間を形成し、表示パネル１０は収容空間２０に配置される。より詳細には、本体２００は、上部２１と、下部２２と、上部２１と下部２２とを接続する側部２３とを含む。カバープレート１４は、上部２１、下部２２、および側部２３の間に固定される。いくつかの実施形態において、上部２１および側部２３は平坦であり、上部２１は直角または鋭角でカバープレート１４と交差する。上部２１および側部２３は、円筒形の側面形状であって、カバープレート１４に接してもよい。表示パネル１０が収容空間２０に配置され、いくつかの実施形態においては、第１の縁部１０８を上部２１に隣接させ、第１のスロット１０３を第１の縁部１０８から凹状に設けることができ、あるいは第１のスロット１０３を第１の縁部１０８に隣接させつつ第１の縁部１０８から離して位置させることができ、すなわち上部２１が第１のスロット１０３に対応することができる。
【００６９】
図５１〜図５４は、カメラ３００が収容空間２０に配置されることを示している。カメラ３００は、電子機器１０００の外部の物体から画像を取得するように構成される。カメラ３００は、第１のスロット１０３に対応し、カメラ３００を、第１のスロット１０３の中央位置に整列させることができる。カメラ３００を、第１のスロット１０３の中央位置からずれた位置に整列させてもよいことを、理解すべきである。図５１は、いくつかの実施形態において、カメラ３００が本体２００に取り付けられ、カメラ３００が第１のスロット１０３に完全に収容されてよいことを示している。図５２は、カメラ３００が第１のスロット１０３に部分的に収容されてもよいことを示しており、すなわち、カメラ３００が部分的に第１のスロット１０３内に延びている。図５３は、カメラ３００が第１のスロット１０３の外に配置され、完全に本体２００内に位置してもよいことを示している。図５４は、いくつかの実施形態において、カメラ３００が第１のスロット１０３および第２のスロット１２１へと延びてよく、全体が第１のスロット１０３および第２のスロット１２１に収容されることを示している。カメラ３００は、第１のスロット１０３へと延び、さらに第２のスロット１２１の途中まで延びてもよい。他の実施形態において、カメラ３００が、第１のスロット１０３、第２のスロット１２１、および第３のスロット１４１へと延びてよく、第１のスロット１０３、第２のスロット１２１、および第３のスロット１４１に完全に収容されることを、理解すべきである。また、カメラ３００は、第１のスロット１０３および第２のスロット１２１へと延び、さらに第３のスロット１４１の途中まで延びてもよい。
【００７０】
図５５は、いくつかの実施形態において、カメラ３００の数が２つであり、２つのカメラ３００が収容空間２０に配置され、２つのカメラ３００が第１のスロット１０３に面することを示している。詳細には、２つのカメラ３００は、第１のスロット１０３を囲む表示パネル１０の壁に面している。いくつかの実施形態においては、２つのカメラ３００が全体として第１のスロット１０３の中央位置に位置し、すなわち２つのカメラ３００の中心を結ぶことによって形成される線分の中点が、第１のスロット１０３の中央位置に位置する。２つのカメラ３００が全体として第１のスロット１０３の中央位置からずれた位置に位置してもよいことを、理解すべきである。２つのカメラ３００の各々の第１のスロット１０３、第２のスロット１２１、および第３のスロット１４１へと延びる深さが、任意の一実施形態における単一のカメラ３００の第１のスロット１０３、第２のスロット１２１、および第３のスロット１４１へと延びる深さであってよいことを、理解すべきである。２つのカメラ３００の第１のスロット１０３、第２のスロット１２１、および第３のスロット１４１へと延びる深さは、互いに影響を及ぼさず、すなわち、例えば、２つのカメラ３００は両方とも本体２００内に配置され、第１のスロット１０３内へと延びることがなく、あるいは２つのカメラ３００は両方とも第１のスロット１０３、または第２のスロット１２１、または第３のスロット１４１内へと延びる。あるいは、一方のカメラ３００は本体２００内に配置され、第１のスロット１０３内へと延びることがなく、他方のカメラ３００は第１のスロット１０３、または第２のスロット１２１、または第３のスロット１４１内へと延びる。あるいは、一方のカメラ３００が第１のスロット１０３内へと延び、他方のカメラ３００が第２のスロット１２１または第３のスロット１４１内へと延びる。２つのカメラ３００の第１のスロット１０３、第２のスロット１２１、および第３のスロット１４１内へと延びる深さは、ここに記載されていない他の組み合わせでもよいことを理解されたい。
【００７１】
図１、図５６、および図５７は、レシーバ４００が収容空間２０に配置され、レシーバ４００が音出口４０を含み、レシーバ４００の音出口４０は上部２１または側部２３に位置することを示している。詳細には、図５６が、音出口４０を上部２１の中央位置に配置できることを示している。他の実施形態においては、音出口４０を、上部２１の中央位置からずれた位置に配置することができる。図５７は、音出口４０を側部２３のうちの上部２１に隣接する位置に配置できることを示している。本実施形態の音出口４０は、表示パネル１０の面積を大きくすることができ、電子機器１０００の画面比率が改善されるよう、カバープレート１４および表示パネル１０のスペースを節約するために、上部２１または側部２３に配置されている。
【００７２】
一実施形態の表示装置アセンブリ１００は、表示装置アセンブリ１００を貫通する少なくとも１つの領域を含む（図４７および図４９を参照）。音出口４０は、第１のスロット１０３、第２のスロット１２１、および第３のスロット１４１を介して露出され、あるいは音出口４０は、第１のスロット１０３および第３のスロット１４１を介して露出される。
【００７３】
図５８および図５９は、電子機器１０００が収容空間に配置された光センサ５００をさらに含み、光センサ５００は、光センサ５００が第１のスロット１０３の側方のスペースを占めることがなく、第１のスロット１０３のサイズが小さくなり、電子機器１０００の画面比率が改善されるように、音出口４０の周囲の表示パネル１０の内壁に配置されることを示している。詳細には、音出口４０の外形が第１の縁部１０８に平行であってよく、光センサ５００は、音出口４０の周囲の表示パネル１０の内壁の一端に配置されてよく、光センサ５００を接着剤または係合によって音出口４０の周囲の表示パネル１０の内壁に固定することができる。
【００７４】
図６０は、いくつかの実施形態において、カメラ３００、レシーバ４００、および光センサ５００の中心が、同じ線Ｚ１上に位置し、線Ｌ１は、第１の縁部１０８に平行であってよいことを示している。他の実施形態においては、カメラ３００、レシーバ４００、および光センサ５００の中心が位置する線が、例えば第１の縁部１０８に対して垂直など、任意の角度で第１の縁部１０８と交わってもよいことを、理解すべきである。
【００７５】
図６１および図６２は、一実施形態の電子機器１０００が２つのカメラ３００を含むことを示している。カメラ３００は、レンズホルダ３２と、レンズホルダ３２に結合したレンズ鏡筒３０とを含み、光センサ５００は、カメラ３００および光センサ５００に共通の横方向寸法が小さくなり、スロット１０３のサイズを小さくすることができ、電子機器１０００の画面比率が向上するように、レンズホルダ３２の上面３２２に配置されている。詳細には、光センサ５００は、一方のカメラ３００のレンズホルダ３２の上面３２２に配置されてよく、あるいは２つのカメラ３００の２つのレンズホルダ３２の上面３２２に配置されてもよい。レシーバ４００も、上面３２２の平面上に配置することができる。
【００７６】
図６３および図６４は、いくつかの実施形態において、２つのカメラ３００の中心が第１の線分Ｌ１へと接続され、レシーバ４００および光センサ５００の中心が第２の線分Ｌ２へと接続され、第１の線分Ｌ１は第２の線分Ｌ２にほぼ垂直であることを示している。詳細には、第１の線分Ｌ１は、第１の縁部１０８に実質的に平行であってよく、第２の線分Ｌ２は、第１の縁部１０８に対して実質的に垂直であってよい。図６４は、第１の線分Ｌ１が第２の線分Ｌ２の中点を通過してよく、第１の線分Ｌ１が第２の線分Ｌ２の端点を通過してもよいことを示しており、例えば、第１の線分Ｌ１は、第２の線分Ｌ２のうちの光センサ５００の中心が位置する端点を通過し、あるいは第１の線分Ｌ１は、第２の線分Ｌ２のうちのレシーバ４００の中心が位置する端点を通過する。
【００７７】
図６６〜図６８は、一実施形態において、カバープレート１４に垂直な方向への音出口４０の投影の外形が、第１のスロット１０３を取り囲む表示パネル１０の内壁の投影の外形とほぼ同じであることを示している。詳細には、カバープレート１４に垂直な投影において、第１のスロット１０３を取り囲む表示パネル１０の内壁に隣接する音出口４０の投影の外形または音出口４０の投影の外形の一部分が、第１のスロット１０３を取り囲む表示パネル１０の内壁の投影の外形に実質的に一致する。換言すると、音出口４０の投影の外形の一部分は、第１のスロット１０３の縁に配置されている。カメラ３００および光センサ５００は、音出口４０の上方に配置されている。別の実施形態において、音出口４０は第１のスロット１０３の外側に配置され、第１のスロット１０３を取り囲む表示パネル１０の内壁の外形に沿って延びる。
【００７８】
図６９および図７０は、一実施形態の電子機器１０００が２つのカメラ３００を含むことを示している。カメラ３００は、レンズホルダ３２と、レンズホルダ３２に結合したレンズ鏡筒３０とを含み、光センサ５００は、カメラ３００および光センサ５００に共通の横方向寸法が小さくなり、スロット１０３のサイズを小さくすることができ、電子機器１０００の画面比率が向上するように、レンズホルダ３２の上面３２２に配置されている。詳細には、光センサ５００は、一方のカメラ３００のレンズホルダ３２の上面３２２に配置されてよく、あるいは２つのカメラ３００の２つのレンズホルダ３２の上面３２２に配置されてもよい。レシーバ４００も、上面３２２の平面上に配置することができる。
【００７９】
図７１および図７２は、いくつかの実施形態において、２つのカメラ３００の中心が第３の線分Ｌ３へと接続され、レシーバ４００および光センサ５００の中心が第４の線分Ｌ４へと接続され、第３の線分Ｌ３は第４の線分Ｌ４に垂直であることを示している。詳細には、第３の線分Ｌ３は、第１の縁部１０８に実質的に平行であってよく、第４の線分Ｌ４は、第１の縁部１０８に対して実質的に垂直であってよい。
【００８０】
図７２は、第３の線分Ｌ３が第４の線分Ｌ４の端点を通過してよく、例えば、第３の線分Ｌ３が第４の線分Ｌ４のうちの光センサ５００の中心が位置する端点を通過することを示している。他の実施形態において、第３の線分Ｌ３は、第４の線分Ｌ４の中点または第４の線分Ｌ４の他の位置を通過してもよい。
【００８１】
図７３および図７４は、一実施形態の電子機器１０００が入力／出力モジュール６００を含むことを示している。カメラ３００、光センサ５００、およびレシーバ４００は、入力／出力モジュール６００に一体化され、入力／出力モジュール６００は、ベース７００と回路基板８００とをさらに含む。
【００８２】
ベース７００を、カメラ３００、光センサ５００、およびレシーバ４００を受けるように構成でき、詳細には、ベース７００は、カメラ３００および光センサ５００に対応する光透過領域を含み、光が光透過領域からベース７００に進入し、カメラ３００および光センサ５００によって受光される。ベース７００は、レシーバ４００に対応する音領域を含み、音領域からレシーバ４００の音を送信することができる。
【００８３】
カメラ３００、光センサ５００、およびレシーバ４００は、回路基板８００上に配置される。詳細には、回路基板８００は、ベース７００内に収容された硬質基板（図示せず）および可撓基板８０を含み、カメラ３００、光センサ５００、およびレシーバ４００は、硬質基板上に配置され、可撓基板８０が、ベース７００の外部へと延びる。
【００８４】
入力／出力モジュール６００が電子機器１０００に取り付けられたとき、回路基板８００を電子機器１０００の主基板へと接続して、入力／出力モジュール６００と電子機器１０００の主基板との間の情報交換を実現することができる。入力／出力モジュール６００の取り付け位置は、第１のスロット１０３に対応することができる。
【００８５】
詳細には、入力／出力モジュール６００は、１つのカメラ３００または２つのカメラ３００を含むことができ、カメラ３００、光センサ５００、およびレシーバ４００の間の詳細な配置は、上述の実施形態において開示された配置のいずれかとほぼ同じであってよく、ここでは説明を省略する。
【００８６】
図７５〜図７８は、一実施形態において、カバープレート１４に垂直な方向への音出口４０の投影の外形が、少なくとも１つの穴１０３４を取り囲む表示パネル１０の内壁の投影の外形とほぼ同じであることを示している。詳細には、カバープレート１４に垂直な投影において、少なくとも１つの穴１０３４を取り囲む表示パネル１０の内壁に隣接する音出口４０の投影の外形または音出口４０の投影の外形の一部分が、少なくとも１つの穴１０３４を取り囲む表示パネル１０の内壁の投影の外形に実質的に一致する。換言すると、音出口４０の投影の外形の一部分は、少なくとも１つの穴１０３４の縁に配置されている。カメラ３００および光センサ５００は、音出口４０の上方に配置されている。図７５および図７６は、一実施形態において、音出口４０が少なくとも１つの穴１０３４内に配置されることを示している。図７７および図７８は、別の実施形態において、音出口４０が少なくとも１つの穴１０３４の外側に配置されることを示している。いくつかの実施形態において、音出口４０は、環状の構造である。少なくとも１つのカメラの数は、２つである。
【００８７】
一実施形態において、表示パネル１０は、表示面１０１および背面１０２を貫いて延びる少なくとも１つのボイドを含む。少なくとも１つのボイドは、表示領域１１内に位置し、電子機器１０００の少なくとも１つの構成要素を露出させるように構成される。少なくとも１つのボイドを除く表示領域１１は、複数の画像ピクセルを含む。ボイドは、スロットであってよい。少なくとも１つのボイドは、表示パネル１０の縁から凹状に設けられた少なくとも１つの切り欠きであってよい。あるいは、少なくとも１つのボイドは、表示パネル１０に定められた少なくとも１つの穴であってよい。
【００８８】
一実施形態において、電子機器１０００の少なくとも１つの構成要素は、少なくとも１つのカメラ、レシーバ、光センサ、プロジェクタ、マイクロフォン、スピーカ、距離センサ、照明装置、およびこれらの組み合わせを含むグループから選択される。少なくとも１つのカメラの数は、２つである。別の実施形態において、少なくとも１つのカメラは、２つの前方カメラを含む。２つの前方カメラのうちの１つは、赤外線カメラである。赤外線カメラは、イメージセンサおよび赤外線フィルタを含む。光センサは、周囲光センサである。プロジェクタは、垂直共振器面発光レーザ（ＶＣＳＥＬ）などのレーザを含むドットプロジェクタである。距離センサは、近接センサである。照明装置は、ＶＣＳＥＬなどのレーザを含む投光イルミネータである。
【００８９】
詳細には、近接センサおよび周囲光センサは、顔の認識に必要な照明量を決定する少なくとも１つのカメラを助ける。投光イルミネータは、顔を照らすために、顔の目には見えない電磁スペクトルの一部である赤外（ＩＲ）光を生成する。ドットプロジェクタは、顔の状況の三次元マップ（面積および深さ）を作成するために３０，０００を超える不可視ＩＲ光のドットを生成する。赤外線カメラは、ドットパターンおよび顔から反射したＩＲ光の画像を撮影する。したがって、赤外線カメラは、ＩＲ光を使用して顔の存在を確認する。
【００９０】
本明細書の説明において、用語「一実施形態」、「いくつかの実施形態」、「典型的な実施形態」、「例」、「特定の例」、または「いくつかの例」、などの記載は、その実施形態または例に関連して説明される特定の特徴、構造、材料、または特性が、本開示の少なくとも１つの実施形態または例に含まれていることに言及しようとしている。本明細書において、上記の概略図の用語は、同じ実施形態または例に必要ではない。さらに、記載された特定の特徴、構造、材料、または特性は、任意の１つ以上の実施形態または実施例において適切なやり方で組み合わされてよい。
【００９１】
さらに、「第１の・・・」および「第２の・・・」などの用語は、本明細書において、説明の目的で使用されており、相対的な重要性または重大性を意味または示唆するものではなく、該当の技術的特徴の数を示唆するものでもない。したがって、「第１の・・・」および「第２の・・・」で定義された特徴は、この特徴を１つ以上含むことができる。本開示の説明において、「複数の・・・」は、とくに断りのない限り、２つまたは３つ以上を意味する。
【００９２】
以上の説明は、本開示を限定するものではなく、むしろ本開示の単なる典型的な実施形態にすぎない。当業者であれば、本開示に対して、さまざまな修正および変更を加えることが可能である。本開示の精神および原理の範囲内で行われるあらゆる修正、等価な置換、改良、などが、本開示の保護範囲に包含される。
【図１】
0006862553.tif 000002
【図２】
0006862553.tif 000003
【図３】
0006862553.tif 000004
【図４】
0006862553.tif 000005
【図５】
0006862553.tif 000006
【図６】
0006862553.tif 000007
【図７】
0006862553.tif 000008
【図８】
0006862553.tif 000009
【図９】
0006862553.tif 000010
【図１０】
0006862553.tif 000011
【図１１】
0006862553.tif 000012
【図１２】
0006862553.tif 000013
【図１３】
0006862553.tif 000014
【図１４】
0006862553.tif 000015
【図１５】
0006862553.tif 000016
【図１６】
0006862553.tif 000017
【図１７】
0006862553.tif 000018
【図１８】
0006862553.tif 000019
【図１９】
0006862553.tif 000020
【図２０】
0006862553.tif 000021
【図２１】
0006862553.tif 000022
【図２２】
0006862553.tif 000023
【図２３】
0006862553.tif 000024
【図２４】
0006862553.tif 000025
【図２５】
0006862553.tif 000026
【図２６】
0006862553.tif 000027
【図２７】
0006862553.tif 000028
【図２８】
0006862553.tif 000029
【図２９】
0006862553.tif 000030
【図３０】
0006862553.tif 000031
【図３１】
0006862553.tif 000032
【図３２】
0006862553.tif 000033
【図３３】
0006862553.tif 000034
【図３４】
0006862553.tif 000035
【図３５】
0006862553.tif 000036
【図３６】
0006862553.tif 000037
【図３７】
0006862553.tif 000038
【図３８】
0006862553.tif 000039
【図３９】
0006862553.tif 000040
【図４０】
0006862553.tif 000041
【図４１】
0006862553.tif 000042
【図４２】
0006862553.tif 000043
【図４３】
0006862553.tif 000044
【図４４】
0006862553.tif 000045
【図４５】
0006862553.tif 000046
【図４６】
0006862553.tif 000047
【図４７】
0006862553.tif 000048
【図４８】
0006862553.tif 000049
【図４９】
0006862553.tif 000050
【図５０】
0006862553.tif 000051
【図５１】
0006862553.tif 000052
【図５２】
0006862553.tif 000053
【図５３】
0006862553.tif 000054
【図５４】
0006862553.tif 000055
【図５５】
0006862553.tif 000056
【図５６】
0006862553.tif 000057
【図５７】
0006862553.tif 000058
【図５８】
0006862553.tif 000059
【図５９】
0006862553.tif 000060
【図６０】
0006862553.tif 000061
【図６１】
0006862553.tif 000062
【図６２】
0006862553.tif 000063
【図６３】
0006862553.tif 000064
【図６４】
0006862553.tif 000065
【図６５】
0006862553.tif 000066
【図６６】
0006862553.tif 000067
【図６７】
0006862553.tif 000068
【図６８】
0006862553.tif 000069
【図６９】
0006862553.tif 000070
【図７０】
0006862553.tif 000071
【図７１】
0006862553.tif 000072
【図７２】
0006862553.tif 000073
【図７３】
0006862553.tif 000074
【図７４】
0006862553.tif 000075
【図７５】
0006862553.tif 000076
【図７６】
0006862553.tif 000077
【図７７】
0006862553.tif 000078
【図７８】
0006862553.tif 000079